(57)【要約】【課題】１つの支持具で照明器具の仰角を３種類以上に設定することが可能であり、しかも、ポールへの取り付けとアームへの取り付けとを１つの支持具で対応することが可能な構造を実現する。【解決手段】器具本体２の取付座２２１にボルト７１によって着脱自在に取り付けられる支持具６を備え、その支持具６は、ポールまたはアームの先端部分が連結される円筒部６０と、縦向取付用鍔部６１、６２と、横向取付用鍔部をと備えている。そして、縦向取付用鍔部６１によって支持具６を器具本体の取付座２２１に取り付ける場合（ポール取付の場合）、支持具６を円筒部６０の円筒軸を中心として回転させて取付形態を変更することにより、円筒部６０の円筒軸に対する前面ガラス板３１の前面の角度が異なる少なくとも３種類の形態で取り付けることが可能な構造とする。【選択図】図１５
2018006230.tif 000002
【特許請求の範囲】
【請求項１】
下方に向けて光を出力する光源を収容する器具本体と、前記光源の光出射側に設けられた前面板とを備え、ポールまたはアームに取り付けられる照明器具であって、
前記器具本体に取付座が設けられているとともに、前記器具本体の取付座にボルトによって着脱自在に取り付けられる支持具を備え、
前記支持具は、ポールまたはアームの差し込みが可能で、それらポールまたはアームが連結される円筒部と、前記円筒部を縦にした状態で当該支持具を前記器具本体の取付座に取り付けるための縦向取付用鍔部と、前記円筒部を横にした状態で当該支持具を前記器具本体の取付座に取り付けるための横向取付用鍔部とを備えており、
前記縦向取付用鍔部には、前記器具本体の取付座への取付面として前記円筒部の円筒軸と直交する平面に対する角度が互いに異なる複数の取付面が形成されているとともに、
前記縦向取付用鍔部は、前記器具本体の取付座への取付形態を、前記支持具を前記円筒部の円筒軸を中心として回転させることにより、少なくとも３種類の取付形態に変更することが可能であり、
前記縦向取付用鍔部によって前記支持具を前記器具本体の取付座に取り付ける場合、前記支持具を前記円筒部の円筒軸を中心として回転させて取付形態を変更することにより、前記円筒部の円筒軸に対する前記前面板の前面の角度が異なる少なくとも３種類の形態で取り付けることが可能な照明器具。
【発明の詳細な説明】
【技術分野】
【０００１】
本発明は、道路灯器具などの照明器具に関する。
【背景技術】
【０００２】
照明器具として、道路脇等に設置されたポールやアームの先端部に取り付けられる照明器具（道路灯器具）がある（例えば、特許文献１、２参照）。
【０００３】
ポールの先端部に取り付けられる照明器具では、水平面に対する照明器具（光出射面）の傾き（以下、照明器具の仰角と言う）を変更して路面等の照射領域を変更することが行われている。例えば、照明器具の器具本体にポール支持具をボルト等により着脱自在に取り付ける構造とし、そのポール支持具の鍔部の取付形態を上下反転させることにより、照明器具の仰角を変更している（従来技術）。
【先行技術文献】
【特許文献】
【０００４】
【特許文献１】特開２００７−１４９４８７号公報
【特許文献２】特開２０１６−０６６５０２号公報
【発明の概要】
【発明が解決しようとする課題】
【０００５】
しかしながら、上記従来技術では、照明器具の仰角を２種類しか変更することができない。また、照明器具をポールとアームとに取り付けるようにする場合、ポール専用の支持具とアーム専用の支持具との最低２種類の支持具を製作する必要があり、金型投資と部品在庫、及び部品管理の上で問題がある。
【０００６】
本発明はそのような実情を考慮してなされたもので、１つの支持具で照明器具の仰角を３種類以上に設定することが可能であり、しかも、ポールへの取り付けとアームへの取り付けとを１つの支持具で対応することが可能な照明器具を提供することを目的とする。
【課題を解決するための手段】
【０００７】
本発明は、下方に向けて光を出力する光源を収容する器具本体と、前記光源の光出射側に設けられた前面板とを備え、ポールまたはアームに取り付けられる照明器具であって、前記器具本体に取付座が設けられているとともに、前記器具本体の取付座にボルトによって着脱自在に取り付けられる支持具を備え、前記支持具は、ポールまたはアームの差し込みが可能で、それらポールまたはアームが連結される円筒部と、前記円筒部を縦にした状態で当該支持具を前記器具本体の取付座に取り付けるための縦向取付用鍔部と、前記円筒部を横にした状態で当該支持具を前記器具本体の取付座に取り付けるための横向取付用鍔部とを備えている。
【０００８】
そして、前記縦向取付用鍔部には、前記器具本体の取付座への取付面として前記円筒部の円筒軸と直交する平面に対する角度が互いに異なる複数の取付面が形成されているとともに、前記縦向取付用鍔部は、前記器具本体の取付座への取付形態を、前記支持具を前記円筒部の円筒軸を中心として回転させることにより、少なくとも３種類の取付形態に変更することが可能であり、前記縦向取付用鍔部によって前記支持具を前記器具本体の取付座に取り付ける場合、前記支持具を前記円筒部の円筒軸を中心として回転させて取付形態を変更することにより、前記円筒部の円筒軸に対する前記前面板の前面の角度が異なる少なくとも３種類の形態で取り付けることが可能であることを特徴としている。
【０００９】
本発明の照明器具によれば、縦向取付用鍔部によって支持具を器具本体の取付座に取り付ける場合、支持具を円筒部の円筒軸を中心として回転させて取付形態を変更することにより、円筒部の円筒軸に対する器具本体の前面板の前面の角度を少なくとも３種類に設定することができる。
【００１０】
ここで、本発明の照明器具にあっては、支持具は、円筒部へのポールの差し込みによりポールと連結する構造であり、その円筒部の円筒軸はポールの中心と一致するので、支持具の円筒部の円筒軸に対する器具本体の前面板の前面の角度と、ポールの中心に対する器具本体の前面板の前面の角度とは同じである。さらに、鉛直設置のポールの中心は水平面と直交するので、円筒部の円筒軸に対する器具本体の前面板の前面の角度を３種類以上に設定することが可能であると、水平面に対する器具本体の前面板の前面の角度、つまり照明器具の仰角を３種類以上に設定することが可能になる。
【００１１】
しかも、本発明の照明器具では、支持具に上記縦向取付用鍔部に加えて横向取付用鍔部を設けているので、その横向取付用鍔部を用いて支持具を器具本体の取付座に取り付けることにより、円筒部を横向きに配置することもできる。これにより、１つの支持具で照明器具をポールとアームとに取り付けることが可能になる。
【００１２】
このように、本発明の照明器具によれば、１つの支持具で照明器具の仰角を３種類以上に設定することが可能であり、しかも、そのような形態でのポールへの取り付けとアームへの取り付けとを１つの支持具で実現するこができる。
【発明の効果】
【００１３】
本発明によれば、１つの支持具で照明器具の仰角を３種類以上に設定することが可能であり、しかも、ポールへの取り付けとアームへの取り付けとを１つの支持具で実現するこができる。
【図面の簡単な説明】
【００１４】
【図１】本発明の照明器具の実施形態を示す斜視図である。
【図２】本発明の照明器具の実施形態を示す正面図である。
【図３】図２のＸ−Ｘ断面図である。
【図４】器具本体の斜視図である。
【図５】器具本体の平面図である。
【図６】器具本体の後半部の縦断面図である。
【図７】支持具の斜視図である。
【図８】支持具の斜視図である。
【図９】支持具の斜視図である。
【図１０】支持具の平面図である。
【図１１】支持具の正面図である
【図１２】支持具の左側面図である。
【図１３】支持具の右側面図である。
【図１４】支持具の背面図である。
【図１５】図１５（Ａ）及び図１５（Ｂ）はそれぞれ照明器具の第１取付形態（縦向取付：仰角５°）を示す斜視図である。
【図１６】照明器具の第１取付形態（縦向取付：仰角５°）を示す側面図である。
【図１７】図１７（Ａ）及び図１７（Ｂ）は、それぞれ照明器具の第２取付形態（縦向取付：仰角１０°）を示す斜視図である。
【図１８】照明器具の第２取付形態（縦向取付：仰角１０°）を示す及び側面図である。
【図１９】図１９（Ａ）及び図１９（Ｂ）は、それぞれ照明器具の第３取付形態（縦向取付：仰角１５°）を示す斜視図である。
【図２０】照明器具の第３取付形態（縦向取付：仰角１５°）を示す及び側面図である。
【図２１】図２１（Ａ）及び図２１（Ｂ）は、それぞれ照明器具の第４取付形態（横向取付）を示す要部斜視図である。
【図２２】照明器具の第４取付形態（横向取付）を示す側面図である。
【発明を実施するための形態】
【００１５】
以下、本発明の実施形態を図面に基づいて説明する。
【００１６】
本実施形態の照明器具について図１〜図２２を参照して説明する。
【００１７】
本実施形態の照明器具１は、道路脇に設置されたポールＰまたはアームＡの先端部（高所）に取り付けられて路面を照明する道路灯器具である。照明器具１は、器具本体２、カバー３、上蓋４、ＬＥＤ光源ユニット５、及び支持具６などによって構成されている。
【００１８】
次に、本実施形態の照明器具１の各部の詳細について説明する。
【００１９】
−器具本体−
器具本体２は、例えばアルミニウムダイキャスト製品であって、長方形状の前半部２１と後半部２２とが一体形成されており、その前半部２１に、下方に向けて光を出力するＬＥＤ光源ユニット５が収容されている。
【００２０】
なお、以下の説明では、器具本体２の前半部２１側を前方側と言い、後半部２２側を後方側と言う。また、器具本体２の前半部２１と後半部２２とが並ぶ方向（前後方向）と直交する方向を幅方向と言う。
【００２１】
器具本体２は下方が開口されており、その開口部２ａがカバー３によって下方側から閉鎖されている。器具本体２の後半部２２の上方は開口されており、その開口部２２ａが上蓋４によって開閉自在に閉鎖されている。図４〜図６に示すように、後半部２２には一対の取付座２２１，２２１が一体形成されている。この一対の取付座２２１，２２１は、器具本体２の幅方向の中心Ｃ１（図５参照）に対して線対称となる位置に配置されている。
【００２２】
一対の取付座２２１，２２１の上面（後述する支持具６を取り付ける面）２２１ａ，２２１ａは同一平面上に沿って配置されている。これら一対の取付座２２１，２２１の各上面２２１ａは器具本体２の前方側から後方側に向かって上方に傾斜している（図４、図６参照）。具体的には、一対の取付座２２１，２２１の各上面２２１ａは、後述するカバー３の前面ガラス板３１の前面（光出射面）と平行な平面Ｆ１（図６参照）に対して１０°傾いている。
【００２３】
各取付座２２１には、それぞれ２つの雌ねじ孔（貫通ねじ孔）２２１ｂ，２２１ｂが設けられている。これら４つの雌ねじ孔２２１ｂ・・２２１ｂは、平面視で長方形の頂点となる位置に配置されており、一方の取付座２２１の雌ねじ孔２２１ｂ，２２１ｂと他方の取付座２２１の雌ねじ孔２２１ｂ，２２１ｂとは、器具本体２の幅方向の中心Ｃ１（図５参照）に対して線対称となる位置に配置されている。また、各雌ねじ孔２２１ｂの中心は、各取付座２２１の上面２２１ａと直交する方向に一致している。
【００２４】
そして、器具本体２の一対の取付座２２１，２２１に支持具６がボルト７１・・７１（図１５（Ｂ）等参照）によって着脱自在に取り付けられる。支持具６及びその取付形態の詳細については後述する。
【００２５】
−ＬＥＤ光源ユニット−
ＬＥＤ光源ユニット５は、複数（この例では６枚）のＬＥＤ基板５１・・５１、その各ＬＥＤ基板５１の前面（下面）に一列に実装された複数（この例では４個）のＬＥＤ（発光ダイオード：Light-Emitting Diode）５２・・５２、及び光源取付板５３などを備えている。複数のＬＥＤ基板５１・・５１は、光源取付板５３の前面（下面）に照明器具１の幅方向に所定ピッチで配列されている。光源取付板５３は、器具本体２の前半部２１に取り付けられている。なお、ＬＥＤ５２は、例えば表面実装型やＣＯＢ（チップオンボード）タイプの白色ＬＥＤである。
【００２６】
−カバー−
カバー３は、例えばアルミニウムダイキャスト製品であって、器具本体２の下方側の開口部２ａを下方から覆う形状（器具本体２の下面形状に対応する形状）に形成されている。カバー３はボルト等によって器具本体２に取り付けられている。
【００２７】
カバー３には、器具本体２の前半部２１に収容されたＬＥＤ光源ユニット５に対応する位置に、長方形状の開口部３ａが開口されている。その開口部３ａは前面ガラス板（例えば透明強化ガラス製）３１によって塞がれている。前面ガラス板３１（前面板）はＬＥＤ光源ユニット５の光出射側に位置しており、この前面ガラス板３１の前面（下面）が光出射面となっている。
【００２８】
なお、カバー３の後方部には、後述する支持具６を器具本体２に縦向きで取り付ける場合（図１５〜図２０参照）、その支持具６の円筒部６０の下端部に対応する位置に円形孔が開口される。
【００２９】
−上蓋−
上蓋４は、例えばアルミニウムダイキャスト製品であって、器具本体２の後半部２２の上方側の開口部２２ａを上方から覆う形状（後半部２２の上面形状に対応する形状）に形成されている。上蓋４は、器具本体２の後半部２２の後端部にヒンジ４１を介して開閉自在に支持されている。そして、上蓋４は、閉鎖状態（後半部２２の開口部２２ａを閉鎖した状態）でボルト等によって器具本体２に固定される。
【００３０】
なお、上蓋４及び器具本体２の後端には、後述する支持具６を器具本体２に横向きで取り付ける場合（図２１、図２２参照）、その支持具６の円筒部６０の後端部に対応する位置に円形孔が開口される。
【００３１】
−支持具−
次に、支持具６について図１〜図２２を参照して説明する。
【００３２】
支持具６は、照明器具１（器具本体２）をポールＰ（図１６、図１８、図２０参照）またはアームＡ（図２２参照）に取り付けるための部材（例えば、アルミニウムダイキャスト製）であって、ポールＰまたはアームＡが連結される円筒部６０と、縦向取付用鍔部６Ａと、一対の横向取付用鍔部６３，６３とを備え、その円筒部６０に縦向取付用鍔部６Ａ及び一対の横向取付用鍔部６３，６３が一体形成されている。
【００３３】
円筒部６０は、照明器具１を取り付けるポールＰの先端部分及びアームＡの先端部分の外径（＝ポールＰの先端部分の外径）に対して所定量だけ大きい内径を有しており、この円筒部６０の内部にポールＰの先端部分またはアームＡの先端部分を差し込むことができる。円筒部６０の壁体には、径方向に延びる複数の雌ねじ孔（貫通ねじ孔）６０ａ・・６０ａが設けられており、その各雌ねじ孔６０ａにボルト７２をねじ込むことにより、円筒部６０に差し込まれたポールＰまたはアームＡを固定することができる（支持具６をポールＰまたはアームＡに連結することができる）。そして、支持具６にポールＰを連結した状態で、支持具６の円筒部６０の円筒軸Ｃ２とポールＰの中心Ｃ３（図１６、図１８、図２０参照）とが一致する。また、支持具６にアームＡを連結した状態で、支持具６の円筒部６０の円筒軸Ｃ２とアームＡの中心Ｃ４（図２２参照）とが一致する。
【００３４】
縦向取付用鍔部６Ａは、円筒部６０の円筒軸Ｃ２を挟んだ両側に配置された一対の第１縦向取付用鍔部６１，６１、及び、その一対の第１縦向取付用鍔部６１，６１を挟んだ両側に配置された第２縦向取付用鍔部６２，６２によって構成されている。一対の横向取付用鍔部６３，６３は、円筒部６０の円筒軸Ｃ２を挟んだ両側に配置されている。
【００３５】
一対の第１縦向取付用鍔部６１，６１は円筒部６０の円筒軸Ｃ２に直交する平面に対して傾いた状態で形成されており、これら一対の第１縦向取付用鍔部６１，６１の各取付面（器具本体２の取付座２２１に取り付けられる面）６１ａは、円筒部６０の円筒軸Ｃ２と直交する平面Ｆ２（図１２、図１３参照）に対して５°傾いている。
【００３６】
一対の第１縦向取付用鍔部６１，６１にはそれぞれ２つのボルト挿通孔６１ｂ，６１ｂが設けられている。これら４つのボルト挿通孔６１ｂ・・６１ｂは、器具本体２の一対の取付座２２１，２２１の雌ねじ孔２２１ｂにねじ込むボルト７１（図１５（Ｂ）、図１７（Ｂ）参照）の挿通用の孔であり、その各内径はボルト７１の外径よりも所定量だけ大きい。ボルト挿通孔６１ｂ・・６１ｂの各中心は、各第１縦向取付用鍔部６１の取付面６１ａと直交する方向に一致している。
【００３７】
そして、一対の第１縦向取付用鍔部６１，６１の４つのボルト挿通孔６１ｂ・・６１ｂは、器具本体２の一対の取付座２２１，２２１に設けられた４つ雌ねじ孔２２１ｂ・・２２１ｂに対応する位置関係で配置されている（長方形の頂点となる位置に配置されている）。これにより、一対の第１縦向取付用鍔部６１，６１の各取付面６１ａを、器具本体２の一対の取付座２２１，２２１の各上面２２１ａに合わせた状態で、その一対の第１縦向取付用鍔部６１，６１の各ボルト挿通孔６１ｂを、それぞれ一対の取付座２２１，２２１の各雌ねじ孔２２１ｂに合わせることができる。また、支持具６を円筒部６０の円筒軸Ｃ２を中心として１８０°回転させた状態で、同様に、一対の第１縦向取付用鍔部６１，６１の各ボルト挿通孔６１ｂを、それぞれ一対の取付座２２１，２２１の各雌ねじ孔２２１ｂに合わせることができる。
【００３８】
また、一対の第２縦向取付用鍔部６２，６２は円筒部６０の円筒軸Ｃ２に直交する平面に沿って形成されており、これら一対の第２縦向取付用鍔部６２，６２の各取付面（器具本体２の取付座２２１に取り付けられる面）６２ａは円筒部６０の円筒軸Ｃ２と直交する平面に沿っている。
【００３９】
一対の第２縦向取付用鍔部６２，６２にはそれぞれ２つのボルト挿通孔６２ｂ，６２ｂが設けられている。これら４つのボルト挿通孔６２ｂ・・６２ｂは、器具本体２の一対の取付座２２１，２２１の雌ねじ孔２２１ｂにねじ込むボルト７１（図１７（Ｂ）参照）の挿通用の孔であり、その各内径は第１縦向取付用鍔部６１のボルト挿通孔６１ｂの内径と等しい。ボルト挿通孔６２ｂ・・６２ｂの各中心は、第２縦向取付用鍔部６２の取付面６２ａと直交する方向に一致している。
【００４０】
そして、一対の第２縦向取付用鍔部６２，６２の４つのボルト挿通孔６２ｂ・・６２ｂは、器具本体２の一対の取付座２２１・・２２１に設けられた４つの雌ねじ孔２２１ｂ・・２２１ｂに対応する位置関係で配置されている（長方形の頂点となる位置に配置されている）。これにより、一対の第２縦向取付用鍔部６２，６２の各取付面６２ａを、器具本体２の一対の取付座２２１，２２１の各上面２２１ａに合わせた状態で、その一対の第２縦向取付用鍔部６２，６２の各ボルト挿通孔６２ｂを、それぞれ一対の取付座２２１，２２１の各雌ねじ孔２２１ｂに合わせることができる。
【００４１】
ここで、各第２縦向取付用鍔部６２の２つのボルト挿通孔６２ｂ，６２ｂの中心を通る直線と上記各第１縦向取付用鍔部６１の２つのボルト挿通孔６１ｂ，６１ｂの中心を通る直線とは互いに直交している。
【００４２】
一方、一対の横向取付用鍔部６３，６３は円筒部６０の円筒軸Ｃ２に沿う平面に対して傾いた状態で形成されており、これら一対の横向取付用鍔部６３，６３の各取付面（器具本体２の取付座２２１に取り付けられる面）６３ａは、円筒部６０の円筒軸Ｃ２を通る平面に対して１０°傾いている。
【００４３】
一対の横向取付用鍔部６３，６３にはそれぞれ２つのボルト挿通孔６３ｂ，６３ｂが設けられている。これら４つのボルト挿通孔６３ｂ・・６３ｂは、器具本体２の一対の取付座２２１，２２１の雌ねじ孔２２１ｂにねじ込むボルト７１（図２１（Ｂ）等参照）の挿通用の孔であり、その各内径は第１縦向取付用鍔部６１のボルト挿通孔６１ｂ（第２縦向取付用鍔部６２のボルト挿通孔６２ｂ）の内径と等しい。ボルト挿通孔６３ｂ・・６３ｂの各中心は横向取付用鍔部６３の取付面６３ａと直交する方向に一致している。
【００４４】
そして、一対の横向取付用鍔部６３，６３の４つのボルト挿通孔６３ｂ・・６３ｂは、器具本体２の一対の取付座２２１・・２２１に設けられた雌ねじ孔２２１ｂ・・２２１ｂに対応する位置関係で配置されている（長方形の頂点となる位置に配置されている）。これにより、一対の横向取付用鍔部６３，６３の各取付面６３ａを、器具本体２の一対の取付座２２１，２２１の各上面２２１ａに合わせた状態で、その一対の横向取付用鍔部６３，６３の各ボルト挿通孔６３ｂを、それぞれ一対の取付座２２１，２２１の各雌ねじ孔２２１ｂに合わせることができる。
【００４５】
ここで、支持具６の円筒部６０の端面（ポールＰに取り付ける場合に上側となる端面）には、数字の「５」と「１５」と「１５」とが付されている。これら、数字「５」と数字「１０」と数字「１５」とは、それぞれ照明器具１の仰角５°と仰角１０°と仰角１５°とを示している。
【００４６】
数字「５」と数字「１５」とは、円筒部６０の円筒軸Ｃ２を中心として１８０°回転対称となるに配置されている。具体的には、数字「５」と数字「１５」とは、それぞれ、円筒部６０の円筒軸Ｃ２を通る直線で、かつ各第１縦向取付用鍔部６１の２つのボルト挿通孔６１ｂ，６１ｂの中心を直線と直交する直線上となる位置に配置されている。
【００４７】
また、数字「１０」は、円筒部６０の円筒軸Ｃ２を通る直線で、かつ各第２縦向取付用鍔部６２の２つのボルト挿通孔６２ｂ，６２ｂの中心を通る直線と直交する直線上となる位置（数字「５」に対して９０°回転した位置）に配置されている。
【００４８】
ここで、照明器具１の仰角とは、照明器具１をポールＰに取り付けた場合に、水平面に対する前面ガラス板３１の前面の傾き角のことである。
【００４９】
−取付形態の例−
本実施形態においては、ポールＰ（鉛直設置）に照明器具１を取り付ける場合、１つの支持具６によって、照明器具１の仰角を、５°、１０°または１５°に設定することができる。しかも、このような３種類の形態での照明器具１のポールＰへの取り付けと、アームＡへの取り付けとを１つの支持具６で対応することができる。
【００５０】
その各取付形態（取付形態１〜４）について以下に説明する。なお、各取付形態において支持具６を取り付ける際には、照明器具１の上蓋４をヒンジ４１を中心として開放した状態で作業を行う。
【００５１】
［縦向取付：仰角５°］
まず、鉛直設置されているポールＰに照明器具１を仰角５°で取り付ける場合（縦向取付）の例について図３〜図１４、図１５及び図１６を参照して説明する。
【００５２】
支持具６の円筒部６０を縦にし（数字が付されている端面を上にし）、その円筒部６０の端面に付されている数字「５」を前方側に向けた状態（図１５（Ａ）参照）で、支持具６の一対の第１縦向取付用鍔部６１，６１の各取付面６１ａをそれぞれ器具本体２の一対の取付座２２１，２２１の各上面２２１ａに合わせるとともに、一対の第１縦向取付用鍔部６１，６１の各ボルト挿通孔６１ｂをそれぞれ一対の取付座２２１，２２１の各雌ねじ孔２２１ｂに合わせる。
【００５３】
この状態で、一対の第１縦向取付用鍔部６１，６１の各ボルト挿通孔６１ｂにボルト７１を挿通し、その各ボルト７１をそれぞれ取付座２２１の雌ねじ孔２２１ｂにねじ込むことにより、支持具６を器具本体２に取り付ける（図１５（Ｂ）参照）。
【００５４】
その後に、支持具６の円筒部６０の内部にポールＰ（鉛直設置）の先端部分を下方から差し込んだ状態で、円筒部６０の壁体の各雌ねじ孔６０ａにボルト７２をねじ込むことによってポールＰと支持具６とを連結する。これにより器具本体２（照明器具１）がポールＰに支持される（図１６参照）。
【００５５】
この例の取付形態（第１取付形態）では、一対の第１縦向取付用鍔部６１，６１の各取付面６１ａ（器具本体２の取付座２２１に取り付けられた面）が、円筒部６０の円筒軸Ｃ２と直交する平面に対して５°傾く（照明器具１の前方側から後方側に向けて斜め下方に５°傾く）。一方、第１縦向取付用鍔部６１を取り付ける取付座２２１の上面２２１ａは、器具本体２の前方側から後方側に向かって斜め上方に１０°傾いている。したがって、円筒部６０の円筒軸Ｃ２（ポールＰの中心Ｃ３（鉛直線））に対する照明器具１の前面ガラス板３１の前面（光出射面）の角度は９５°となる。つまり照明器具１の仰角は５°となる（図１６参照）。
【００５６】
［縦向取付：仰角１０°］
次に、鉛直設置されているポールＰに照明器具１を仰角１０°で取り付ける場合（縦向取付）の例について図３〜図１４、図１７及び図１８を参照して説明する。
【００５７】
支持具６の円筒部６０を縦にし（数字が付されている端面を上にし）、その円筒部６０の端面に付されている数字「１０」を前方側に向けた状態（図１７（Ａ）参照）で、支持具６の一対の第２縦向取付用鍔部６２，６２の各取付面６２ａをそれぞれ器具本体２の一対の取付座２２１，２２１の各上面２２１ａに合わせるとともに、一対の第２縦向取付用鍔部６２，６２の各ボルト挿通孔６２ｂをそれぞれ一対の取付座２２１，２２１の各雌ねじ孔２２１ｂに合わせる。
【００５８】
この状態で、一対の第２縦向取付用鍔部６２，６２の各ボルト挿通孔６２ｂにボルト７１を挿通し、その各ボルト７１をそれぞれ取付座２２１の雌ねじ孔２２１ｂにねじ込むことにより、支持具６を器具本体２に取り付ける（図１７（Ｂ）参照）。
【００５９】
その後に、支持具６の円筒部６０の内部にポールＰ（鉛直設置）の先端部分を下方から差し込んだ状態で、円筒部６０の壁体の各雌ねじ孔６０ａにボルト７２をねじ込むことによってポールＰと支持具６とを連結する。これにより器具本体２（照明器具１）がポールＰに支持される（図１８参照）。
【００６０】
この例の取付形態（第２取付形態）では、一対の第２縦向取付用鍔部６２，６２の各取付面６２ａ（器具本体２の取付座２２１に取り付けられた面）が円筒部６０の円筒軸Ｃ２と直交する平面に沿っている。一方、第２縦向取付用鍔部６２を取り付ける取付座２２１の上面２２１ａは、器具本体２の前方側から後方側に向かって斜め上方に１０°傾いている。したがって、円筒部６０の円筒軸Ｃ２（ポールＰの中心Ｃ３（鉛直線））に対する照明器具１の前面ガラス板３１の前面（光出射面）の角度は１００°となる。つまり照明器具１の仰角は１０°となる（図１８参照）。
【００６１】
［縦向取付：仰角１５°］
次に、鉛直設置されているポールＰに照明器具１を仰角１５°で取り付ける場合（縦向取付）の例について図３〜図１４、図１９及び図２０を参照して説明する。
【００６２】
支持具６の円筒部６０を縦にし（数字が付されている端面を上にし）、その円筒部６０の端面に付されている数字「１５」を前方側に向けた状態、つまり第１取付形態に対して支持具６を円筒部６０の円筒軸Ｃ２に対して１８０°回転させた状態（図１９（Ａ）参照）で、支持具６の一対の第１縦向取付用鍔部６１，６１の各取付面６１ａをそれぞれ器具本体２の一対の取付座２２１，２２１の各上面２２１ａに合わせるとともに、一対の第１縦向取付用鍔部６１，６１の各ボルト挿通孔６１ｂをそれぞれ一対の取付座２２１，２２１の各雌ねじ孔２２１ｂに合わせる。
【００６３】
この状態で、一対の第１縦向取付用鍔部６１，６１の各ボルト挿通孔６１ｂにボルト７１を挿通し、その各ボルト７１をそれぞれ取付座２２１の雌ねじ孔２２１ｂにねじ込むことにより、支持具６を器具本体２に取り付ける（図１９（Ｂ）参照）。
【００６４】
その後に、支持具６の円筒部６０の内部にポールＰ（鉛直設置）の先端部分を下方から差し込んだ状態、円筒部６０の壁体の各雌ねじ孔６０ａにボルト７２をねじ込むことによって、ポールＰと支持具６とを連結する。これにより器具本体２（照明器具１）がポールＰに支持される（図２０参照）。
【００６５】
この例の取付形態（第３取付形態）では、一対の第１縦向取付用鍔部６１，６１の各取付面６１ａ（器具本体２の取付座２２１に取り付けられた面）が、円筒部６０の円筒軸Ｃ２と直交する平面に対して５°傾く（照明器具１の前方側から後方側に向けて斜め上方に５°傾く）。一方、各第１縦向取付用鍔部６１を取り付ける取付座２２１の上面２２１ａは、器具本体２の前方側から後方側に向かって斜め上方に１０°傾いている。したがって、円筒部６０の円筒軸Ｃ２（ポールＰの中心（鉛直線））に対する照明器具１の前面ガラス板３１の前面（光出射面）の角度が１０５°となる。つまり照明器具１の仰角は１５°となる（図２０参照）。
【００６６】
［横向取付］
次に、照明器具１をアームＡに取り付ける場合の例について図３〜図１４、図２１及び図２２を参照して説明する。
【００６７】
まず、支持具６の円筒部６０を横に向けた状態（円筒部６０の数字が付された端面を前方側に向けた状態）で、一対の横向取付用鍔部６３，６３の各取付面６３ａをそれぞれ器具本体２の一対の取付座２２１，２２１の各上面２２１ａに合わせるとともに、一対の横向取付用鍔部６３，６３の各ボルト挿通孔６３ｂをそれぞれ一対の取付座２２１，２２１の各雌ねじ孔２２１ｂに合わせる（図２１（Ａ）参照）。
【００６８】
この状態で、一対の横向取付用鍔部６３，６３の各ボルト挿通孔６３ｂにボルト７１を挿通し、その各ボルト７１をそれぞれ取付座２２１の雌ねじ孔２２１ｂにねじ込むことにより、支持具６を器具本体２に取り付ける（図２１（Ｂ）参照）。
【００６９】
その後に、支持具６の円筒部６０内部にアームＡの先端部分を後方側から差し込んだ状態で、円筒部６０の壁体の雌ねじ孔６０ａにボルト７２をねじ込むことによって、アームＡと支持具６とを連結する。これにより器具本体２（照明器具１）がアームＡに支持される（図２２参照）。
【００７０】
この例の取付形態（第４取付形態）では、一対の横向取付用鍔部６３，６３の各取付面６３ａ（器具本体２の取付座２２１に取り付けられた面）が、円筒部６０の円筒軸Ｃ２に沿う平面に対して１０°傾く（照明器具１の前方側から後方側に向けて斜め上方に１０°傾く）。一方、各横向取付用鍔部６３を取り付ける取付座２２１の上面２２１ａは、器具本体２の前方側から後方側に向かって斜め上方に１０°傾いている。したがって、照明器具１の前面ガラス板３１の前面（光出射面）は円筒部６０の円筒軸Ｃ２（アームＡの中心Ｃ４）に沿う形態となる（図２２参照）。なお、アームＡの先端部分が水平面に対して例えば５°傾いている場合、照明器具１の仰角は５°となる。
【００７１】
＜効果＞
以上説明したように、本実施形態の照明器具１によれば、照明器具１をポールＰに取り付ける場合、１つの支持具６を円筒部６０の円筒軸Ｃ２を中心として回転させて取付形態（取付形態１〜３）を変更することにより、円筒部６０の円筒軸Ｃ２（ポールＰの中心Ｃ２）に対する器具本体２の前面ガラス板３１の前面の角度、つまり照明器具１の仰角を、５°、１０°、１５°の３種類に設定することができる。しかも、このような形態での照明器具１のポールＰへの取り付けとアームＡへの取り付けとを１つの支持具６で対応することができる。これにより、金型コスト及び部品在庫の低減化、並びに部品管理の簡素化をはかることができる。
【００７２】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００７３】
例えば、以上の実施形態では、照明器具１の仰角については、５°、１０°、１５°に限られることなく、他の任意の複数（３種類以上）の仰角を設定するようにしてもよい。また、照明器具１の仰角を、５°、１０°、１５°の３種類に設定する場合の例について説明したが、本発明はこれに限られることなく、４種類以上の照明器具１の仰角を設定できるようにしてもよい。
【００７４】
以上の実施形態では、本発明を道路灯器具に適用した例について説明したが、本発明はこれに限られることなく、ポールとアームとに取り付けられる照明器具であれば、他の用途の照明器具にも本発明を適用することができる。
【産業上の利用可能性】
【００７５】
本発明は、例えば、道路脇等に設置されたポールやアームの先端部に取り付けられる照明器具に有効に利用することができる。
【符号の説明】
【００７６】
１  照明器具
２  器具本体
２２１  取付座
２２１ａ  上面
２２１ｂ  雌ねじ孔
３  カバー
３ａ  開口部
３１  前面ガラス板（前面板）
４  上蓋
４１  ヒンジ
５  ＬＥＤ光源ユニット（光源）
６  支持具
６０  円筒部
６０ａ  雌ねじ孔
６Ａ  縦向取付用鍔部
６１  第１縦向取付用鍔部
６１ａ  取付面
６１ｂ  ボルト挿通孔
６２  第２縦向取付用鍔部
６２ａ  取付面
６２ｂ  ボルト挿通孔
６３  横向取付用鍔部
６３ａ  取付面
６３ｂ  ボルト挿通孔
７１，７２  ボルト
Ｐ  ポール
Ａ  アーム
【図１】
2018006230.tif 000003
【図２】
2018006230.tif 000004
【図３】
2018006230.tif 000005
【図４】
2018006230.tif 000006
【図５】
2018006230.tif 000007
【図６】
2018006230.tif 000008
【図７】
2018006230.tif 000009
【図８】
2018006230.tif 000010
【図９】
2018006230.tif 000011
【図１０】
2018006230.tif 000012
【図１１】
2018006230.tif 000013
【図１２】
2018006230.tif 000014
【図１３】
2018006230.tif 000015
【図１４】
2018006230.tif 000016
【図１５】
2018006230.tif 000017
【図１６】
2018006230.tif 000018
【図１７】
2018006230.tif 000019
【図１８】
2018006230.tif 000020
【図１９】
2018006230.tif 000021
【図２０】
2018006230.tif 000022
【図２１】
2018006230.tif 000023
【図２２】
2018006230.tif 000024
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
下方に向けて光を出力する光源を収容する器具本体と、前記光源の光出射側に設けられた前面板とを備え、ポールまたはアームに取り付けられる照明器具であって、
前記器具本体に取付座が設けられているとともに、前記器具本体の取付座にボルトによって着脱自在に取り付けられる支持具を備え、
前記支持具は、ポールまたはアームの差し込みが可能で、それらポールまたはアームが連結される円筒部と、前記円筒部を縦にした状態で当該支持具を前記器具本体の取付座に取り付けるための縦向取付用鍔部と、前記円筒部を横にした状態で当該支持具を前記器具本体の取付座に取り付けるための横向取付用鍔部とを備えており、
前記縦向取付用鍔部は、前記円筒部の円筒軸を挟んだ両側に配置された一対の第１縦向取付用鍔部と、これら第１縦向取付用鍔部の配設位置に対して前記円筒部の円筒軸周りに位相が９０°ずれた位置であって該一対の第１縦向取付用鍔部を挟んだ両側に配置された一対の第２縦向取付用鍔部とを備えて構成されており、前記第１縦向取付用鍔部における前記器具本体の取付座への取付面と前記第２縦向取付用鍔部における前記器具本体の取付座への取付面とは前記円筒部の円筒軸と直交する平面に対する角度が互いに異なっているとともに、
前記縦向取付用鍔部は、前記器具本体の取付座への取付形態を、前記第１縦向取付用鍔部の取付面が前記器具本体の取付座に当接された第１取付形態と、前記支持具を前記円筒部の円筒軸を中心として９０°回転させることにより、前記第２縦向取付用鍔部の取付面が前記器具本体の取付座に当接された第２取付形態と、前記支持具を前記円筒部の円筒軸を中心として更に９０°回転させることにより、前記第１取付形態に対して前記支持具が前記円筒部の円筒軸を中心として１８０°回転された状態で前記第１縦向取付用鍔部の取付面が前記器具本体の取付座に当接された第３取付形態との少なくとも３種類の取付形態に変更することが可能であり、
前記縦向取付用鍔部によって前記支持具を前記器具本体の取付座に取り付ける場合、前記支持具を前記円筒部の円筒軸を中心として回転させて前記第１取付形態、前記第２取付形態および第３取付形態を含む複数の取付形態のうちの一つの取付形態が選択されることによって前記円筒部の円筒軸に対する前記前面板の前面の角度が異なる少なくとも３種類の形態で取り付けることが可能な照明器具。
【手続補正２】
【補正対象書類名】明細書
【補正対象項目名】０００８
【補正方法】変更
【補正の内容】
【０００８】
そして、前記縦向取付用鍔部は、前記円筒部の円筒軸を挟んだ両側に配置された一対の第１縦向取付用鍔部と、これら第１縦向取付用鍔部の配設位置に対して前記円筒部の円筒軸周りに位相が９０°ずれた位置であって該一対の第１縦向取付用鍔部を挟んだ両側に配置された一対の第２縦向取付用鍔部とを備えて構成されており、前記第１縦向取付用鍔部における前記器具本体の取付座への取付面と前記第２縦向取付用鍔部における前記器具本体の取付座への取付面とは前記円筒部の円筒軸と直交する平面に対する角度が互いに異なっているとともに、前記縦向取付用鍔部は、前記器具本体の取付座への取付形態を、前記第１縦向取付用鍔部の取付面が前記器具本体の取付座に当接された第１取付形態と、前記支持具を前記円筒部の円筒軸を中心として９０°回転させることにより、前記第２縦向取付用鍔部の取付面が前記器具本体の取付座に当接された第２取付形態と、前記支持具を前記円筒部の円筒軸を中心として更に９０°回転させることにより、前記第１取付形態に対して前記支持具が前記円筒部の円筒軸を中心として１８０°回転された状態で前記第１縦向取付用鍔部の取付面が前記器具本体の取付座に当接された第３取付形態との少なくとも３種類の取付形態に変更することが可能であり、前記縦向取付用鍔部によって前記支持具を前記器具本体の取付座に取り付ける場合、前記支持具を前記円筒部の円筒軸を中心として回転させて前記第１取付形態、前記第２取付形態および第３取付形態を含む複数の取付形態のうちの一つの取付形態が選択されることによって前記円筒部の円筒軸に対する前記前面板の前面の角度が異なる少なくとも３種類の形態で取り付けることが可能であることを特徴としている。
【手続補正３】
【補正対象書類名】明細書
【補正対象項目名】００４５
【補正方法】変更
【補正の内容】
【００４５】
ここで、支持具６の円筒部６０の端面（ポールＰに取り付ける場合に上側となる端面）には、数字の「５」と「１０」と「１５」とが付されている。これら、数字「５」と数字「１０」と数字「１５」とは、それぞれ照明器具１の仰角５°と仰角１０°と仰角１５°とを示している。